(57)【要約】  【課題】冷蔵庫の効率に関し、設置条件によらず圧縮機を効率よく冷却する冷蔵庫を提供することを目的とする。  【解決手段】蔵庫本体１６は背面及び天面左右のコーナー部に面取り形状を形成する背面通路１９及び天面通路２０を設け、機械室カバー２３は背面通路と同様に左右に面取り形状を形成するカバー縦通路２４を設け、機械室１７とカバー縦通路２４を連通する縦通風口２６を備えたことにより、冷蔵庫背面、側面及び天面が壁などに密着していても、圧縮機５を冷却し機械室１７から排気された暖かい空気は冷蔵庫前面に吹き出されるため、圧縮機５は効率的に冷却され、効率の高い冷蔵庫とすることができる。【選択図】図１
2005326115.tif 000002
【特許請求の範囲】
【請求項１】
断熱壁からなる冷蔵庫本体と、前記冷蔵庫本体の下部に設けられ前記冷蔵庫本体の背面に開口する機械室と、前記機械室内に設けた圧縮機と、前記機械室を覆い前記冷蔵庫本体の背面に設けた機械室カバーとからなり、前記冷蔵庫本体は背面の左右のコーナーに設けられた背面通路と、前記背面通路と連通し天面に設けられた天面通路と、前記背面通路と連通し前記機械室カバーに設けられたカバー縦通路と、前記カバー縦通路と前記機械室を連通する縦通風口を備えた冷蔵庫。
【請求項２】
機械室の天面または底面と圧縮機との間の空間にカバー横通路を設けると共に前記機械室と前記カバー横通路を連通する横通風口を備え、前記横通風口は左右の背面通路と連通する請求項１に記載の冷蔵庫。
【請求項３】
冷蔵庫本体の背面側にカバー横通路を覆う化粧板を備えた請求項２に記載の冷蔵庫。
【請求項４】
化粧板に冷蔵庫運搬用の取っ手を形成する請求項３に記載の冷蔵庫。
【請求項５】
背面通路および天面通路における冷蔵庫の断熱壁が冷蔵庫側面の断熱壁の最小厚さよりも厚い請求項１から４のいずれか一項に記載の冷蔵庫。
【請求項６】
背面通路と天面通路の少なくともどちらか一方の断熱壁内にコンデンサーを設けた請求項１から５のいずれか一項に記載の冷蔵庫。
【請求項７】
背面通路と天面通路の少なくともどちらか一方に冷蔵庫背面と側面及び天面と側面を結んだ領域内に収まる通路カバーを設けた請求項１から６のいずれか一項に記載の冷蔵庫。
【請求項８】
通路カバーにコンデンサーを接触させた請求項７に記載の冷蔵庫。
【請求項９】
通路カバーを金属によって構成したことを特徴とする請求項７または８に記載の冷蔵庫。
【請求項１０】
冷蔵庫の最上部のドアのドアヒンジを天面通路に固定することを特徴とする請求項１から９のいずれか一項に記載の冷蔵庫。
【請求項１１】
機械室内に機械室ファンを備え、前記機械室内の空気を機械室カバーからカバー横通風口及びカバー縦通風口へと吹き出すことを特徴とする請求項１から１０のいずれか一項に記載の冷蔵庫。
【請求項１２】
冷凍システムの作動冷媒を可燃性の冷媒としたことを特徴とする請求項１１に記載の冷蔵庫。
【請求項１３】
機械室カバーの最下段または冷蔵庫本体の前記機械室カバーよりも下の背面コーナー部分を、冷蔵庫側面及び背面とを結ぶ直角の形状に構成したことを特徴とする請求項１から１２のいずれか一項に記載の冷蔵庫。
【請求項１４】
冷蔵庫本体を構成する側面パネル、天面パネル、背面パネルのいずれか一面以上を他のパネルと独立して構成したことを特徴とする請求項１から１３のいずれか一項に記載の冷蔵庫。
【請求項１５】
天面パネルと側面パネル、または前記天面パネルと背面パネル、または前記天面パネルと前記側面パネル及び前記背面パネルを背面通路及び天面通路において背面通路パネル及び天面通路パネルで連結したことを特徴とする請求項１４に記載の冷蔵庫。
【請求項１６】
背面通路パネルと天面通路パネルのどちらか一方または両方を通路カバーと一体成形したことを特徴とする請求項１５に記載の冷蔵庫。
【発明の詳細な説明】
【技術分野】
【０００１】
本発明は、圧縮機の冷却効率を高くした冷蔵庫に関するものである。
【背景技術】
【０００２】
近年、環境保護が叫ばれる中、冷蔵庫業界においては急速な省エネ化が進められている。
【０００３】
冷蔵庫の省エネ化技術としては、断熱箱体の断熱強化、インバーター圧縮機をはじめとした最適制御、冷凍サイクル各デバイスの高効率化があげられる。
【０００４】
その中の一つとして冷凍サイクルのデバイスの一つである圧縮機の高効率化の手法として、圧縮機の冷却効率向上による高効率化技術が図られていた（例えば、特許文献１参照）。
【０００５】
以下、図面を参照しながら上記従来の冷蔵庫を説明する。
【０００６】
図７は、従来の冷蔵庫を示した斜視図である。図７において、冷蔵庫本体１は断熱壁で形成されており、前面に開口した冷却室２及び下部で背面に開口した機械室３とを備えている。
【０００７】
ドア４は、ヒンジ（図示せず）により冷蔵庫本体１と回動自在に支持されており、冷却室２の開口部を閉塞している。
【０００８】
機械室３内には、除霜水蒸発皿６及び除霜水蒸発皿６内の水を強制的に蒸発させるための排水コンデンサー７が収納されている。
【０００９】
排熱通路８は冷蔵庫本体１の背面に形成されている。段押し部９は冷蔵庫本体１背面の圧縮機５上部にＶ字状に形成されており、機械室カバー１０で覆われている。
【００１０】
機械室カバー１０は上部の断面形状を冷蔵庫本体１背面形状に合わせて傾斜したカバー排熱通路１１を設けていると共に、カバー排熱通路１１には段押し部９と外部を連通する上部排熱口１２を形成している。
【００１１】
また、機械室カバー１０下部は断面形状にカバー排熱通路１１の横方向長さよりも長い横方向長さで傾斜部１３を設け、その傾斜部１３に機械室３と外部を連通する下部排熱口１４を形成している。
【００１２】
そして機械室カバー１０のカバー排熱通路１１と傾斜部１３の間には、傾斜部１３とカバー排熱通路１１の長さの違いによる段差を利用して冷蔵庫を運搬するための取っ手１５を２箇所形成している。
【００１３】
以上のように構成された冷蔵庫について、以下その動作を説明する。
【００１４】
冷蔵庫運転中、機械室３内で圧縮機５及び排水コンデンサー７を冷却した空気は、自然滞留により機械室カバー１０から排熱通路８を流れ冷蔵庫本体１上部へと排出される。
【００１５】
従って、冷蔵庫本体１の背面及び側面を壁等に密着して使用されたときにも、排熱通路８は閉塞することはなく、圧縮機５及び排水コンデンサー７は十分冷却され、圧縮機５及び排水コンデンサー７の冷却不足により冷却能力不足となることがなく、冷凍サイクルは所定の能力を発揮する。
【特許文献１】特開昭６２−６６０８１号公報
【発明の開示】
【発明が解決しようとする課題】
【００１６】
しかしながら上記従来の構成では、冷蔵庫本体１の上に物を置いたり、システムキッチンなど、冷蔵庫天面が壁や家具などにより塞がれる設置条件においては排熱通路８が天面で閉塞し、圧縮機５及び排水コンデンサー７を冷却することが困難となり、冷凍サイクルが能力不足となる恐れがあった。
【００１７】
本発明は上記従来の課題を解決するもので、冷蔵庫本体１の上に物を置いた時でも排熱のための風路を確保することにより、効率の高い冷蔵庫を提供することを目的とする。
【課題を解決するための手段】
【００１８】
上記従来の課題を解決するために、本発明の冷蔵庫は、断熱壁からなる冷蔵庫本体と、前記冷蔵庫本体下部に設け前記冷蔵庫本体背面に開口する機械室と、前記機械室内に設けた圧縮機と、前記機械室を覆い前記冷蔵庫本体背面に設けた機械室カバーとからなり、前記冷蔵庫本体は背面の左右のコーナーに設けられた背面通路と、前記背面通路と連通し天面に設けられた天面通路と、前記背面通路と連通し前記機械室カバーに設けられたカバー連通路と、前記カバー連通路と前記機械室を連通する縦通風口を備えたものである。
【００１９】
これによって、冷蔵庫背面、側面及び天面が壁などに密着していても、背面通路及び天面通路は閉塞することがなく、機械室から排気された暖かい空気は背面通路から天面通路を流れ冷蔵庫前面に吹き出されるため圧縮機は効率的に冷却され、冷凍システムの効率低下を防ぐことができる。
【発明の効果】
【００２０】
本発明の冷蔵庫は、冷蔵庫本体の上に物を置いた場合でも排熱のための風路を確保することができるので、効率の高い冷蔵庫を提供することができる。
【発明を実施するための最良の形態】
【００２１】
請求項１に記載の発明は、断熱壁からなる冷蔵庫本体と、前記冷蔵庫本体の下部に設け前記冷蔵庫本体の背面に開口する機械室と、前記機械室内に設けた圧縮機と、前記機械室を覆い前記冷蔵庫本体の背面に設けた機械室カバーとからなり、前記冷蔵庫本体は背面の左右のコーナーに設けられた背面通路と、前記背面通路と連通し天面に設けられた天面通路と、前記背面通路と連通し前記機械室カバーに設けられたカバー縦通路と、前記カバー縦通路と前記機械室を連通する縦通風口を備えたことにより、冷蔵庫背面、側面及び天面が壁などに密着していても、背面通路及び天面通路は閉塞することはなく、圧縮機を冷却して機械室から排気された暖かい空気は背面通路から天面通路を流れ冷蔵庫前面に吹き出されるため圧縮機は効率的に冷却され、冷凍システムの効率低下を防ぐことができ、効率の高い冷蔵庫とすることができる。
【００２２】
請求項２に記載の発明は、機械室天面または底面と圧縮機との間の空間にカバー横通路を設け、前記機械室と前記カバー横通路を連通する横通風口を備え、前記横通風口は左右の背面通路と連通することにより、冷蔵庫背面が壁に密着して置かれた時にも機械室カバーの通風口をより多く開けることができ、効率の高い冷蔵庫を提供することができる。
【００２３】
請求項３に記載の発明は、冷蔵庫本体背面側にカバー横通路を覆う化粧板を備えることにより、冷蔵庫背面の意匠を損なうことなく機械室カバーの通風口を確保することができ、効率が高く、デザイン性の高い冷蔵庫とすることができる。
【００２４】
請求項４に記載の発明は、化粧板に冷蔵庫運搬用の取っ手を形成することにより、化粧板の任意の位置に取っ手を形成することができるため、冷蔵庫の幅に関係なく持ちやすい位置に取っ手を形成することができ、冷蔵庫の幅に左右されず、任意の位置に取っ手を配置することができるので、効率が高く運搬性の良い冷蔵庫とすることができる。
【００２５】
請求項５に記載の発明は、冷蔵庫断熱壁の内側背面の稜線と背面通路及び天面の稜線と天面通路の距離が冷蔵庫側面の断熱壁の最小厚さ以上であることにより、背面通路及び天面通路において断熱壁厚が他の部位の断熱壁厚よりも薄くなることはなく、冷蔵庫の断熱性能を損なうことなく冷凍システムの効率低下を防ぐことができ、断熱性能が高く、効率の高い冷蔵庫とすることができる。
【００２６】
請求項６に記載の発明は、背面通路と天面通路の少なくともどちらか一方の断熱壁内にコンデンサーを設けたことにより、コンデンサーから背面通路及び天面通路の壁面へと放熱され、その熱が背面通路及び天面通路を流れる空気により熱交換されるので、コンデンサーの放熱効率が高くなり、冷凍システムの効率を高くすることができ、効率の高い冷蔵庫とすることができる。
【００２７】
請求項７に記載の発明は、背面通路と天面通路の少なくともどちらか一方に冷蔵庫背面と側面及び天面と側面を結んだ領域内に収まる通路カバーを設けたことにより、機械室から排出された暖かい空気は通路カバー内を流れ、部屋の壁に空気が直接触れることはなく、空気が流れる際に埃を舞い上げ壁を汚すことを防ぐことができ、効率が高く、設置環境を損なわない冷蔵庫とすることができる。
【００２８】
請求項８に記載の発明は、通路カバーにコンデンサーを接触させることにより、背面通路及び天面通路内でコンデンサーが接触する面の面積を大きくすることができ、コンデンサーの放熱効率をより高くなり、冷凍システムの効率をより高くすることができ、効率の高い冷蔵庫とすることができる。
【００２９】
請求項９に記載の発明は、通路カバーを金属によって構成したことにより、コンデンサーの放熱がより促進され、冷凍システムの効率をより高くすることができ、効率の高い冷蔵庫とすることができる。
【００３０】
請求項１０に記載の発明は、冷蔵庫の最上部のドアのドアヒンジを天面通路に固定することにより、冷蔵庫天面にヒンジによる突起がなくなるため、同じ内容積でもより小さいスペースに冷蔵庫を設置することができ、効率が高く、小型の冷蔵庫とすることができる。
【００３１】
請求項１１に記載の発明は、機械室内に機械室ファンを備え、前記機械室内の空気を機械室カバーからカバー横通風口及びカバー縦通風口へと吹き出すことにより、圧縮機の放熱効率が高くなり、冷凍システムの効率をより高くすることができ、効率の高い冷蔵庫とすることができる。
【００３２】
請求項１２に記載の発明は、冷凍システムの作動冷媒を可燃性の冷媒としたことにより、万が一冷凍システムから可燃性冷媒が漏洩しても、漏洩した可燃性冷媒は機械室ファンによりいち早く外部へと放出され拡散するので、漏洩した可燃性冷媒に着火、燃焼することを防ぐことができ、効率が高く、安全性が高い冷蔵庫とすることができる。
【００３３】
請求項１３に記載の発明は、機械室カバーの最下段または冷蔵庫本体の前記機械室カバーよりも下の背面コーナー部分を、冷蔵庫側面及び背面とを結ぶ直角の形状に構成したことにより、機械室から排気された暖かい空気が機械室に再度戻ることがないため、圧縮機を冷却する空気は常に低く保たれ、放熱効率も高くなり、冷凍システムの効率をより高くすることができ、効率の高い冷蔵庫とすることができる。
【００３４】
請求項１４に記載の発明は、冷蔵庫本体を構成する側面パネル、天面パネル、背面パネルのいずれか一面以上を他のパネルと独立して構成したことにより、冷蔵庫本体を簡単に構成でき、冷蔵庫の組み立てを簡単にすることができる。
【００３５】
請求項１５に記載の発明は、天面パネルと側面パネル、または前記天面パネルと背面パネル、または前記天面パネルと前記側面パネル及び前記背面パネルを背面通路及び天面通路において背面通路パネル及び天面通路パネルで連結したことにより、冷蔵庫本体をより簡単に構成でき、冷蔵庫の組み立てを簡単にすることができる。
【００３６】
請求項１６に記載の発明は、背面通路パネルと天面通路パネルのどちらか一方または両方を通路カバーと一体成形したことにより、少ない部品で冷蔵庫本体を簡単に構成でき、冷蔵庫の組立を簡単にすることができる。
【００３７】
以下、本発明の実施の形態について、図面を参照しながら説明する。なお、この実施の形態によってこの発明が限定されるものではない。
【００３８】
（実施の形態１）
図１は本発明の実施の形態１による冷蔵庫の斜視図である。図２は同実施の形態の冷蔵庫の側面図である。図３は同実施の形態の冷蔵庫の正面図である。図４は図２のＡ−Ａ断面の断面図である。図５は同実施の形態の冷蔵庫の機械室カバーの正面図である。図６は図２のＢ−Ｂ断面の断面図である。
【００３９】
図１から図６において、冷蔵庫本体１６は、前面に開口した冷却室２及び下部で背面に開口した機械室１７を備えており、背面及び天面左右のコーナー部に面取り形状を形成する背面通路１９及び天面通路２０を設けている。機械室１７の内部には冷媒に可燃性冷媒を用いた冷凍システムを構成するデバイスの一つである圧縮機５及び機械室ファン１８を収納する。
【００４０】
背面通路１９及び天面通路２０は、冷却室２の背面稜線と背面通路１９及び天面稜線と天面通路２０の距離Ｌ１及びＬ２が冷蔵庫側面の最小断熱壁厚Ｌ３、冷蔵庫背面の最小断熱壁厚Ｌ４及び冷蔵庫天面の最小断熱壁厚Ｌ５よりも厚くなるように形成されている。
【００４１】
冷蔵庫本体１６前面の天面通路２０部には、ドア２１がヒンジ２２によって回動自在に支持されており、冷却室２の開口部を閉塞している。
【００４２】
冷蔵庫本体１６背面には機械室１７を覆うように機械室カバー２３を備えており、背面通路１９と同じように左右に面取り形状のカバー縦通路２４を形成すると共に、機械室１７天面または底面と圧縮機３の間の空間部の高さで全幅にわたり機械室１７側に凸形状としたカバー横通路２５を形成している。また、機械室カバー２３には機械室１７とカバー縦通路２４を連通する縦通風口２６及び機械室１７とカバー横通路２５を連通する横通風口２７を備えている。
【００４３】
また、冷蔵庫本体１６は、それぞれ独立した天面パネル２８と側面パネル２９と背面パネル３０により構成されており、背面通路１９及び天面通路２０部において冷蔵庫本体１６の背面と側面及び天面と側面を結んだ面上に煙突状に形成される、例えば鉄板などの熱伝導率の比較的高い金属製の通路カバー３１によって連結されている。
【００４４】
通路カバー３１には冷凍システムを構成するデバイスの一つであるコンデンサー３２が接触して配設されている。
【００４５】
カバー横通路２５には、冷蔵庫本体１６背面と同一面上に形成した化粧板３３を備えており、化粧板３３には幅５０ｍｍ、高さ２０ｍｍの穴状の取っ手３４を形成している。
【００４６】
また、機械室カバー２１には、背面通路１９の下端を閉塞するように遮断板３５が形成されている。
【００４７】
以上のように構成された冷蔵庫について、以下その動作を説明する。
【００４８】
冷蔵庫の冷却運転時、圧縮機５が運転し、圧縮された可燃性ガスで構成された冷媒は、高温高圧ガスとなりコンデンサー３２で冷却される。コンデンサー３２で冷却された冷媒は、凝縮し、気液２相流となり減圧手段（図示せず）で減圧される。減圧手段で減圧された冷媒は、低温低圧の液冷媒となり、蒸発器（図示せず）で冷却室２内との温度差により蒸発し、蒸発気化熱により冷却室２が冷却される。
【００４９】
圧縮機５は、内部の摺動による発熱、冷媒の圧縮による発熱で高温となり、圧縮機５の効率を低下させている。これに対して、機械室ファン１８により圧縮機５を冷却すると、効率低下を防ぐとともに、凝縮温度を低くすることができ、冷凍能力も高くすることができる。
【００５０】
この時、冷蔵庫の背面と側面を壁などに密着させ、さらにシステムキッチンなど、天面が壁や家具などにより塞がれる設置条件においては、従来の冷蔵庫では風路が閉塞して圧縮機５の冷却効率が低下していたが、本実施の形態においては、圧縮機５を冷却し、縦通風口２６より吹き出された風は、カバー縦通路２４から背面通路１９、天面通路２０を流れ外部へと吹き出される。
【００５１】
これにより、圧縮機５を冷却した空気は確実に外部へ吹き出されるため、冷蔵庫の側面、背面、天面が塞がれるような設置条件によって冷凍システムの効率が低下することはないと共に、この部分は断熱壁が他の部分よりも薄くなることがないので断熱効率も低下することはないため、効率の高い冷蔵庫とすることができる。
【００５２】
また、従来の冷蔵庫においては、機械室カバー２３部の風路を確保するために、冷蔵庫背面や機械室カバー２２背面に突起を設けて壁とすき間を空けていたため、冷蔵庫の設置スペースに対して突起の分だけ無駄なスペースができるため、冷却室２の容積が減少してしまっていた。
【００５３】
本実施の形態では、機械室カバー２３に、機械室１７の天面または底面と圧縮機５の間の邪魔にならない空間にカバー横通路２４が形成されているため、冷却室２の収納容積や断熱壁の壁厚を削ることなく横通風口２７を形成し風路を拡大することができる。
【００５４】
これにより、冷却室容積を減少させることなく、圧縮機５を冷却する機械室ファン１８の通風抵抗が低くなり、風量が増加し圧縮機５の冷却効率が高くなるため、冷凍システムの効率をより向上させることができる。
【００５５】
また、本実施の形態では、カバー横通路２５は、化粧板３３により隠されているので、カバー横通路２５を気にすることなく冷蔵庫背面の意匠を決めることができる。
【００５６】
また、本実施の形態では、化粧板３３には幅５０ｍｍ以上、高さ２０ｍｍ以上の穴で取っ手３４が形成されているが、その位置、数は化粧板３３内であればどこでも自由に形成することができるので、冷蔵庫の幅に関係なく運びやすい幅で取っ手３４を形成することができ、運搬性の高い冷蔵庫とすることができる。
【００５７】
また、本実施の形態では、通路カバー２３内を風が流れるので、圧縮機５を冷却した風が埃を舞い上げても壁に付着することはなく壁を汚さないので、設置環境を損なわない冷蔵庫とすることができる。
【００５８】
また、本実施の形態では、コンデンサー３２は熱伝導率の高い通路カバー３１に接触しているため、コンデンサー３２の熱は面積の比較的大きい通路カバー３１に伝導すると共に、機械室１７から吹き出された風により冷却されるので、凝縮温度を低くすることができ、冷凍能力を高くすることができ、より効率の高い冷蔵庫とすることができる。
【００５９】
また、本実施の形態では、冷蔵庫本体１６上部にヒンジ２２の出っ張りがないため、同じ冷却室の容積でも冷蔵庫本体１６の高さを低くし小型化することができ、容積効率の高い冷蔵庫とすることができる。
【００６０】
また、本実施の形態では、作動冷媒を可燃性冷媒としているが、機械室ファン１８による冷却風が確実に冷蔵庫外へと吹き出され、拡散することから、もし冷媒が冷凍システムから漏洩しても、可燃性ガスは冷蔵庫の裏などに滞留して濃度が高くなることはないため、安全性の高い冷蔵庫とすることができる。
【００６１】
また、機械室１７から吹き出された風は遮断板３５により背面通路１９から天面通路２０へと流れる以外には流れないので、圧縮機５を冷却した空気が再度機械室１７に吸い込まれて圧縮機５の冷却効率を低くすることはないので、冷凍システムの効率を低下させることはなく、より効率の高い冷蔵庫とすることができる。
【００６２】
また、冷蔵庫本体は独立した天面パネル２８と側面パネル２９と背面パネル３０によって構成し、通路カバー３１によって連結しているため、冷蔵庫本体１６を組み立てる際には特別な金型を作成したりする必要もなく、複雑な曲げも必要なく、簡単に組み立てることができるとともに、背面通路１９及び天面通路２０の形状も自由に変えることができる。
【００６３】
なお、本実施の形態においては、ドア２１は１枚として説明したが、ドアを複数枚備えた冷蔵庫においても同様の効果が得られる。
【００６４】
また、本実施の形態においては、機械室ファン１８で冷却するのは圧縮機５のみとして説明したが、機械室１７内にコンデンサーを備え、機械室ファン１８によって冷却する仕様においてはさらに大きな効果が得られる。
【００６５】
また、本実施の形態においては、冷蔵庫を冷却する手段として冷凍システムを用いて機械室１７内の圧縮機５を冷却したが、電子冷却式など、放熱を必要とするデバイスがあるシステムならどのようなシステムでも同様の効果が得られる。
【００６６】
また、本実施の形態においては、背面通路１９及び天面通路２０は面取り形状としたが、いかなる形状でも空気を流すことができる通路であれば同様の効果が得られる。
【００６７】
また、本実施の形態においては、カバー横通路２５は圧縮機５と機械室１７天面または底面との隙間に設けたが、機械室１７内で部品が無い無効空間であれば、どこに設けても同様の効果が得られる。
【００６８】
また、本実施の形態においては、通路カバー３１を背面通路１９部と天面通路２０部で分割して組み立てることにより、より簡単に組み立てることができる。
【産業上の利用可能性】
【００６９】
以上のように、本発明にかかる冷蔵庫は、冷蔵庫背面及び天面に圧縮機を冷却した空気が流れる風路を構成したことにより、設置条件により風路を閉塞させることがなく、圧縮機の冷却効率を向上させることができるので、発熱を空気により冷却する風路を備えたあらゆる機器にも適用できる。
【図面の簡単な説明】
【００７０】
【図１】本発明による冷蔵庫の実施の形態１の斜視図
【図２】同実施の形態の冷蔵庫の側面図
【図３】同実施の形態の冷蔵庫の正面図
【図４】図２のＡ−Ａ断面の断面図
【図５】同実施の形態の冷蔵庫の機械室カバーの正面図
【図６】図２のＢ−Ｂ断面の断面図
【図７】従来の冷蔵庫の斜視図
【符号の説明】
【００７１】
５    圧縮機
１６  冷蔵庫本体
１７  機械室
１８  機械室ファン
１９  背面通路
２０  天面通路
２１  ドア
２２  ドアヒンジ
２３  機械室カバー
２４  カバー縦通路
２５  カバー横通路
２６  縦通風口
２７  横通風口
２８  天面パネル
２９  側面パネル
３０  背面パネル
３１  通路カバー
３２  コンデンサー
３３  化粧板
３４  取っ手
【図１】
2005326115.tif 000003
【図２】
2005326115.tif 000004
【図３】
2005326115.tif 000005
【図４】
2005326115.tif 000006
【図５】
2005326115.tif 000007
【図６】
2005326115.tif 000008
【図７】
2005326115.tif 000009